(57)【要約】【課題】  レンズ装置のマウント交換の際にはレンズユニットを分解することなく、撮影時に妨げにならない位置に配線を配設する構造を提供する。【解決手段】  レンズ装置は、カメラ装置と着脱するための交換可能なマウントを備え、該マウントに配設された該カメラ装置との電気接点を備えるレンズ装置であって、光学部材と、前記光学部材を収容するレンズ収容部と、該レンズ収容部とは離隔した配線収容部と、を有する固定鏡筒と、前記マウントに対して前記光学部材を挟んで光軸方向における物体側に配設された電気基板と、を備え、前記配線収容部は、前記固定鏡筒の外側に開口する開口部を備え、前記電気接点からの第１の配線は第１の接続手段を備え、前記電気基板からの第２の配線は第２の接続手段を備え、前記第１の接続手段と前記第２の接続手段は前記配線収容部で互いに接続する、ことを特徴とする。【選択図】  図２
2016057513.tif 000002
【特許請求の範囲】
【請求項１】
カメラ装置と着脱するための交換可能なマウントを備え、該マウントに配設された該カメラ装置との電気接点を備えるレンズ装置であって、
光学部材と、
前記光学部材を収容するレンズ収容部と、該レンズ収容部とは離隔した配線収容部と、を有する固定鏡筒と、
前記マウントに対して前記光学部材を挟んで光軸方向における物体側に配設された電気基板と、
を備え、
前記配線収容部は、前記固定鏡筒の外側に開口する開口部を備え、
前記電気接点からの第１の配線は第１の接続手段を備え、前記電気基板からの第２の配線は第２の接続手段を備え、前記第１の接続手段と前記第２の接続手段は前記配線収容部で互いに接続する、
ことを特徴とするレンズ装置。
【請求項２】
前記マウントは異なる規格のマウントと交換可能であることを特徴とする、請求項１に記載のレンズ装置。
【請求項３】
前記光学部材は、前記レンズ装置の光路に挿抜する光学部材であることを特徴とする請求項１又は２に記載のレンズ装置。
【請求項４】
前記光学部材は、エクステンダーであることを特徴とする請求項３に記載のレンズ装置。
【請求項５】
前記配線収容部と前記レンズ収容部とを離隔する壁部は、前記レンズ群を光路に挿入した時の前記レンズ群の位置を画定するための規制面を構成することを特徴とする請求項３又は４記載のレンズ装置。
【請求項６】
前記電気基板からの第２の配線は前記複数の規格のマウントに対応した複数の配線で構成される、ことを特徴とする請求項２に記載のレンズ装置。
【請求項７】
前記複数の第２の配線それぞれは互いに異なる仕様の前記第２の接続手段を有する、ことを特徴とする請求項２に記載のレンズ装置。
【請求項８】
前記配線収容部と前記レンズ収容部とを離隔する壁部は、前記開口部を通して前記光学部材の位置を調整するための工具を挿入する穴を有することを特徴とする請求項１乃至７のいずれか１項に記載のレンズ装置。
【請求項９】
前記開口部を塞ぐカバーを備え、
前記カバーには前記接続手段を保持する保持部材が固定されている、
ことを特徴とする請求項１乃至８のいずれか１項に記載のレンズ装置。
【請求項１０】
請求項１乃至９のいずれか１項に記載のレンズ装置と、該レンズ装置から被写体光を受光する撮像素子とを備える撮像装置。
【発明の詳細な説明】
【技術分野】
【０００１】
本発明はレンズ装置に関し、特に、カメラ装置と接続するマウントが交換可能なレンズ装置及びそれを有する撮像装置に関するものである。
【背景技術】
【０００２】
着脱可能なレンズ装置とカメラ間を電気接続する方法として、特許文献１では、マウントに電気接点を設け、マウント近傍に配置した電気基板を介して、レンズ装置内部の電気部品の制御を実施している。また、エクステンダーを内蔵したレンズ装置とレンズ操作アクセサリー間を通信する方法として、特許文献２ではエクステンダー外部に無線通信するモジュールを設け、レンズ操作アクセサリーと通信している。
【先行技術文献】
【特許文献】
【０００３】
【特許文献１】特開２００５−０４４９４２号公報
【特許文献２】特開２０１１−２５７６９４号公報
【発明の概要】
【発明が解決しようとする課題】
【０００４】
近年、レンズ交換式のカメラが複数のマウントタイプを持つために、カメラのマウントタイプに応じて、レンズのマウント周辺部品を交換することがある。複数あるマウントタイプに応じて、マウント周辺部品の交換を容易に実施するためには、以下の課題がある。特許文献１では、マウント近傍に電気基板があるが、レンズの形状と配置によっては、電気基板をマウントから離れた位置に配置する場合には、マウント交換する際に、マウントと電気基板の間にあるレンズユニットを取り外す必要がある。そのため、光学性能が変化し再調整が必要になる。また、特許文献２では、マウント近傍にエクステンダーがあるため、電気基板を外部に配置し、電気基板とドライブユニットを接続するケーブルは、レンズ装置の外部にあるために撮影におけるレンズ操作の妨げにつながる。
【０００５】
そこで、本発明の目的は、マウント交換の際にはレンズユニットを分解することなく容易にマウント交換を可能ならしめ、撮影時に妨げにならない位置に配線を配設する構造を提供するものである。
【課題を解決するための手段】
【０００６】
上記目的を達成するためのレンズ装置は、カメラ装置と着脱するための交換可能なマウントを備え、該マウントに配設された該カメラ装置との電気接点を備えるレンズ装置であって、光学部材と、前記光学部材を収容するレンズ収容部と、該レンズ収容部とは離隔した配線収容部と、を有する固定鏡筒と、前記マウントに対して前記光学部材を挟んで光軸方向における物体側に配設された電気基板と、を備え、前記配線収容部は、前記固定鏡筒の外側に開口する開口部を備え、前記電気接点からの第１の配線は第１の接続手段を備え、前記電気基板からの第２の配線は第２の接続手段を備え、前記第１の接続手段と前記第２の接続手段は前記配線収容部で互いに接続する、ことを特徴とする。
【発明の効果】
【０００７】
本発明によれば、交換式レンズのマウント交換の際にはレンズユニットを分解することなく容易にマウント交換を可能ならしめ、撮影時に妨げにならない位置に配線を配設する構造を提供するため、調整作業性と操作性を向上したレンズ装置を提供するものである。
【図面の簡単な説明】
【０００８】
【図１】本発明の実施例１におけるレンズ装置の部分斜視図である。
【図２】本発明の実施例１におけるレンズ装置の部分断面図である。
【図３】本発明の実施例１におけるレンズ装置の部分斜視図である。
【図４】本発明の実施例１におけるレンズ装置の部分断面図である。
【図５】図２におけるＡ−Ａ断面図を示したものである。
【図６】図２の断面図においてエクステンダーの位置が図５の場合とは異なるＡ―Ａ断面図を示したものである。
【図７】本発明の実施例２におけるレンズ装置の部分断面図である。
【図８】本発明の実施例２におけるレンズ装置の部分断面図である。
【図９】本発明のレンズ装置を備える撮像装置の部分断面図である。
【発明を実施するための形態】
【０００９】
以下に、添付した図面を参照して、本発明の実施例について説明する。
【実施例１】
【００１０】
図１及び図２を参照しながら、本実施例のレンズ装置について説明する。
【００１１】
図１は本実施例におけるレンズ装置の部分斜視図を表す。図２は図１で示しているレンズ装置の部分断面図である。レンズ装置１は、光路に挿抜してレンズの倍率を切り替えるエクステンダー機構を固定鏡筒２の内部に有しており、レバー７０を回転操作することにより倍率を切り替える。固定鏡筒２の光軸方向８０側（光軸方向物体側）には、鏡筒４０ａがビス５０ａにより連結固定されている。鏡筒４０ａには、押え環やカシメなどのレンズ保持構造によって固定されている光学部材であるレンズ群３０ａを有する。また、固定鏡筒２の光軸方向８０の反対方向には鏡筒４０ｃが、更に、鏡筒４０ｃにはマウント２０ａが、ビス５０ｂ等により連結固定されている。マウント２０ａは、ＣＣＤなどの撮像センサを持つ不図示のカメラ部とバヨネット構造によって連結固定するものである。鏡筒４０ｃには、押え環やカシメなどのレンズ保持構造によって固定されているレンズ群３０ｃを保持している。
【００１２】
電気基板９は固定鏡筒２の内部に固定されており、鏡筒４０ａの光軸方向８０に有する不図示のフォーカス、ズーム、アイリスといったレンズ装置１の駆動機構と電気的に接続する。電気基板９には、先端にコネクタ（第２の接続手段）６ａ、６ｂが取り付けられたケーブル（第２の配線）７ａ、７ｂが接続している。マウント２０ａには、カメラ部と電気的な接続を行う電気接点８ａが配設され、電気接点８ａからは先端にコネクタ（第１の接続手段）６ｃが取り付けられたケーブル（第１の配線）７ｃが延びている。コネクタ６ｃは、電気基板９から延びているコネクタ６ａとコネクタ接続するものである。
【００１３】
次に、図３、図４を参照しながら、マウントを交換する作業について説明する。本発明のレンズ装置は、異なる複数のタイプ（仕様、規格）のマウントと交換可能な構成を有する。図３、図４は、それぞれ図１、図２に示したマウントに対してタイプ（仕様、規格）が異なるマウントを取り付けている点が異なる。図３、４に示したマウント２０ｂは、マウント２０ａに対してマウント形状とカメラの取り付け位置が異なり、マウント２０ｂの電気接点８ｂは、マウント２０ａの電気接点８ａとは接点形状やピン数が異なる。マウント２０ａからマウント２０ｂに交換する場合、まずは固定鏡筒２の外形にあるカバー５ａを取り外す。作業者は、カバー５ａを取り外すと、固定鏡筒２の内部にある収容空間３に収容されているコネクタ６ａとコネクタ６ｃに、固定鏡筒２の外側に開口しているコネクタ着脱穴（開口部）４を通してアクセスできるので、コネクタ６ａに接続しているコネクタ６ｃを取り外す。そして、マウント２０ａ、連結鏡筒４２を順に外していき、最後にコネクタ６ｃをパッキン２１とともに収容空間３から取り外す。ここでパッキン２１は、マウント側から固定鏡筒２の内部に侵入するゴミ等を防ぐ目的で、固定鏡筒２に開けられた穴に固定するスポンジやゴムなどの弾性のある部材である。次に、マウント２０ｂを装着する場合には、上記で述べた手順と逆に、コネクタ６ｄを収容空間３に挿入し、パッキン２１で固定鏡筒２の穴を塞ぐ。そして、連結鏡筒４２、マウント２０ｂの順番で取り付ける。マウント２０ｂは、マウント２０ａとは仕様が異なり、接点形状やピン数も異なるため、レンズ側には、マウント２０ｂの仕様に対応する配線７ｂ、コネクタ６ｂが備えられている。コネクタ６ｂへのコネクタ６ｄの接続は、コネクタ着脱穴４から作業し、接続されたコネクタは収容空間３内に収容する。最後にカバー５を取り付ける。
【００１４】
次に、図５、図６を参照しながら、本実施例のエクステンダー機構について説明する。図５は図２におけるＡ−Ａ断面を示したものであり、図６は図５に対してエクステンダーの位置を切り替えた状態を示している。固定鏡筒２の内部には、レバー７０の回転軸まわりに、レバー７０とともに回転するようにベアリングなどの軸受部材で回転可能な状態で保持しているホルダー４１がある。ホルダー４１には、鏡筒４０ｂが取り付けられており、鏡筒４０ｂには、押え環やカシメなどのレンズ保持構造によって固定されているレンズ群３０ｂを保持している。レンズ群３０ｂは、レンズ装置の倍率を変更するものであり、図５と図６の状態で倍率が異なる。図５では、ホルダー４１は、ホルダー４１に固定しているストッパーゴム４３ａが、固定鏡筒２にある位置決め面２４ａに接するように、バネ４４により回転方向に付勢されている。また、ストッパーゴム４３ａが、規制面である位置決め面２４ａに接することにより、レンズ群３０ｂの位置を画定することができる。位置決め面２４ａは、固定鏡筒２の、レンズ収容部と配線収容部を離隔する壁部であり、コネクタの収容空間３の内壁を兼ねているため、別途位置決め面を設ける必要がない。また、図６において、ホルダー４１は、ホルダー４１に固定しているストッパーゴム４３ｂが固定鏡筒２にある位置決め面２４ｂに接するように、バネ４４により回転方向に付勢されている。なお、図５と図６の状態は、レバー７０によってホルダー４１を回転することで切り替える。レンズ群３０ｂは、光学性能を調整するために、その位置を偏心調整する。レンズ群３０ｂを保持する鏡筒４０ｂは、ホルダー４１に対して、バネ座金を有したビスによって固定されており、ホルダー４１に対して光軸方向８０に垂直な方向に偏心調整ができる。鏡筒４０ｂを偏心調整するには、ホルダー４１が図５の位置にあるときに、作業者は固定鏡筒２にある調整穴２２ａ、２２ｂ、２２ｃから工具を挿入し、押しビス６０を回転する。押しビス６０が回転すると、鏡筒４０ｂを押すことになり、その押す方向に鏡筒４０ｂが移動する。押しビス６０は３か所あるため、押すビスと引くビスを組み合わせることで偏心したい方向へレンズ鏡筒を偏心することができる。コネクタ着脱穴４を塞ぐカバー５は、コネクタ着脱穴４を塞ぐとともに、偏心調整用の調整穴２２ａも塞ぐことで、ゴミの侵入を防止する。なお、調整穴２２ｂ、２２ｃは調整穴カバー２３によって穴を塞ぐ。
【００１５】
以上のように、本実施例によれば、マウント近傍にスペース上の制約があり、電気基板をエクステンダーよりも被写体側（光軸方向物体側）に配置する場合でも、レンズ群を取り外すことなく、コネクタとマウントの着脱、交換が可能である。また、コネクタをレンズ装置内部に配置することにより、配線が操作時の妨げになることはなく、配線やコネクタが光路内に侵入することもないので撮影光に影響を及ぼすこともない。本実施例では、中継コネクタを例に説明したが、中継基板をコネクタの収容空間３に配置して、電気基板と接点それぞれから延在するコネクタが、収容空間３に固定した中継基板を介しても良い。
【実施例２】
【００１６】
図７、図８を参照しながら、本実施例におけるレンズ装置について説明する。図７と図８は、本発明の実施例２におけるレンズ装置の部分断面図である。
【００１７】
本実施例のレンズ装置は、基本的な構成は図１に示した第１の実施例のレンズ装置と同等の構成を有するが、特徴的な構成として、コネクタ着脱穴４を覆うカバー５ｂを有する。カバー５ｂには、コネクタホルダー１０が一体となって構成されており、コネクタホルダー（保持部材）１０はコネクタ６ａ、６ｂを接着やテープなどを介して保持するものである。マウントを交換するためにコネクタを着脱する作業について説明する。作業者はカバー５ｂを取り外すと、コネクタ６ａ、６ｂがカバー５ｂと一体となっているため、図８に示すようにカバー５ｂの取り外しと同時に、コネクタ６ａ、６ｂを固定鏡筒２の外部に引き出すことができる。作業者は、この状態でコネクタ６ｃをコネクタ６ａから取り外す。その他の作業については実施例１と同様である。
【００１８】
以上のように、本実施例によれば、実施例１で述べた効果の他にコネクタを固定鏡筒２の外部に取り出すことで、コネクタ着脱の作業が容易となる。また、コネクタが収容空間３の中でガタつくことがない。
【００１９】
例示した実施例においては、異なる仕様・規格のマウントを容易に可換とするための構成として説明したが、本発明の効果は、同じ仕様・規格のマウントを交換する場合にも同様に享受できる。
【００２０】
以上、本発明の好ましい実施形態について説明したが、本発明のこれらの実施形態に限定されず、その要旨の範囲で種々の変形および変更が可能である。
【００２１】
上記の実施例で説明したレンズ装置１と、該レンズ装置１からの被写体光を受光する撮像素子１１０を備えるカメラ装置１００とにより、本発明の効果を享受することが可能な撮像装置を構成することができる（図９）。
【符号の説明】
【００２２】
１          レンズ装置
２          固定鏡筒
３          収容空間（配線収容部）
４          コネクタ着脱穴
６ａ、６ｂ  コネクタ（第２の接続手段）
６ｃ、６ｄ  コネクタ（第１の接続手段）
７ａ、７ｂ  ケーブル（第２の配線）
７ｃ、７ｄ  ケーブル（第１の配線）
８ａ、８ｂ  電気接点
９          電気基板
【図１】
2016057513.tif 000003
【図２】
2016057513.tif 000004
【図３】
2016057513.tif 000005
【図４】
2016057513.tif 000006
【図５】
2016057513.tif 000007
【図６】
2016057513.tif 000008
【図７】
2016057513.tif 000009
【図８】
2016057513.tif 000010
【図９】
2016057513.tif 000011